(57)【特許請求の範囲】
【請求項１】
貨幣価値の金額を電子データとして記憶する記憶装置にアクセスし、金額変更情報を用いて当該貨幣価値の金額を変更させる携帯端末と、
前記貨幣価値の金額を変更する金額変更情報を生成して出力するサーバ装置と、
を用いて構成された決済システムであって、
前記携帯端末は、決済を識別するための決済識別情報と、当該決済識別情報の送信先を示す接続情報と、が埋め込まれた画像情報を解析して決済識別情報と接続情報を認識し、当該認識した接続情報により示される送信先に、当該認識した決済識別情報を送信し、
前記サーバ装置は、決済を識別するための決済識別情報に関連付けて当該決済における変更すべき金額を記憶する記憶手段から前記送信された決済識別情報に関連付けられた変更すべき金額を取得し、当該取得された変更すべき金額を用いて生成した金額変更情報を当該決済識別情報の送信元の携帯端末に送信し、
前記携帯端末は、前記送信された金額変更情報を用いて前記貨幣価値の金額を変更させる、
ことを特徴とする決済システム。
【請求項２】
前記携帯端末は、前記決済識別情報により識別される決済における変更すべき金額がさらに埋め込まれている前記画像情報を解析して、変更すべき金額をさらに認識し、前記認識した接続情報により示される送信先に、当該認識した変更すべき金額をさらに送信し、
前記サーバ装置は、前記送信された決済識別情報に関連付けられた変更すべき金額を前記記憶手段から取得し、当該取得された変更すべき金額と、前記携帯端末から送信された変更すべき金額とが一致する場合に限り、前記金額変更情報を生成して前記記憶装置に送信する、ことを特徴とする請求項１に記載の決済システム。
【請求項３】
前記携帯端末は、前記決済識別情報により識別される決済に関連するデータ項目がさらに埋め込まれている前記画像情報を解析して、データ項目をさらに認識し、前記認識した接続情報により示される送信先に、当該認識したデータ項目をさらに送信し、
前記サーバ装置は、決済を識別するための決済識別情報に関連付けて当該決済に関連するデータ項目をさらに記憶する前記記憶手段から前記送信された決済識別情報に関連付けられたデータ項目を取得し、当該取得されたデータ項目と、前記携帯端末から送信されたデータ項目とが一致する場合に限り、前記金額変更情報を生成して前記記憶装置に送信する、ことを特徴とする請求項１または請求項２に記載の決済システム。
【請求項４】
前記サーバ装置は、前記金額変更情報を前記記憶装置に送信する前に、前記取得された変更すべき金額を含む確認データを前記決済識別情報の送信元の携帯端末に送信し、
前記サーバ装置は、前記送信した確認データにより示される内容が確認されたことを示す情報を前記携帯端末から取得した場合に限り、前記金額変更情報を生成して前記決済識別情報の送信元の携帯端末に送信する、ことを特徴とする請求項１、請求項２、または請求項３に記載の決済システム。
【請求項５】
貨幣価値の金額を電子データとして記憶する記憶装置にアクセスし、金額変更情報を用いて当該貨幣価値の金額を変更させる携帯端末に接続可能なサーバ装置であって、
決済を識別するための決済識別情報と、当該決済識別情報の送信先を示す接続情報と、が埋め込まれた画像情報を解析して決済識別情報と接続情報を認識し、当該認識した接続情報により示される送信先に、当該認識した決済識別情報を送信する機能を有する携帯端末から、当該認識された決済識別情報を受信する受信手段と、
決済を識別するための決済識別情報に関連付けて当該決済における変更すべき金額を記憶する記憶手段から、前記受信された決済識別情報に関連付けられた変更すべき金額を取得する取得手段と、
前記取得された変更すべき金額を用いて生成した金額変更情報を、前記受信された決済識別情報の送信元の携帯端末に送信する送信手段と、
を具備したことを特徴とするサーバ装置。
【請求項６】
貨幣価値の金額を電子データとして記憶する記憶装置にアクセスし、金額変更情報を用いて当該貨幣価値の金額を変更させる携帯端末と、前記貨幣価値の金額を変更する金額変更情報を生成して出力するサーバ装置と、を用いて構成された決済システムにおける決済方法であって、
前記携帯端末が、決済を識別するための決済識別情報と、当該決済識別情報の送信先を示す接続情報と、が埋め込まれた画像情報を解析して決済識別情報と接続情報を認識し、当該認識した接続情報により示される送信先に、当該認識した決済識別情報を送信し、
前記サーバ装置が、決済を識別するための決済識別情報に関連付けて当該決済における変更すべき金額を記憶する記憶手段から前記送信された決済識別情報に関連付けられた変更すべき金額を取得し、当該取得された変更すべき金額を用いて生成した金額変更情報を当該決済識別情報の送信元の携帯端末に送信し、
前記携帯端末が、前記送信された金額変更情報を用いて前記貨幣価値の金額を変更させる、
ことを特徴とする決済方法。
【請求項７】
貨幣価値の金額を電子データとして記憶する記憶装置にアクセスし、金額変更情報を用いて当該貨幣価値の金額を変更させる携帯端末に接続可能なコンピュータによる決済処理方法であって、
決済を識別するための決済識別情報と、当該決済識別情報の送信先を示す接続情報と、が埋め込まれた画像情報を解析して決済識別情報と接続情報を認識し、当該認識した接続情報により示される送信先に、当該認識した決済識別情報を送信する機能を有する携帯端末から、当該認識された決済識別情報を受信する受信ステップと、
決済を識別するための決済識別情報に関連付けて当該決済における変更すべき金額を記憶する記憶手段から、前記受信された決済識別情報に関連付けられた変更すべき金額を取得する取得ステップと、
前記取得された変更すべき金額を用いて生成した金額変更情報を、前記受信された決済識別情報の送信元の携帯端末に送信する送信ステップと、
を具備したことを特徴とする決済処理方法。
【請求項８】
貨幣価値の金額を電子データとして記憶する記憶装置にアクセスし、金額変更情報を用いて当該貨幣価値の金額を変更させる携帯端末に接続可能なコンピュータに、
決済を識別するための決済識別情報と、当該決済識別情報の送信先を示す接続情報と、が埋め込まれた画像情報を解析して決済識別情報と接続情報を認識し、当該認識した接続情報により示される送信先に、当該認識した決済識別情報を送信する機能を有する携帯端末から、当該認識された決済識別情報を受信する受信機能と、
決済を識別するための決済識別情報に関連付けて当該決済における変更すべき金額を記憶する記憶手段から、前記受信された決済識別情報に関連付けられた変更すべき金額を取得する取得機能と、
前記取得された変更すべき金額を用いて生成した金額変更情報を、前記受信された決済識別情報の送信元の携帯端末に送信する送信機能と、
を実現させるための決済処理プログラム。
【発明の詳細な説明】
【技術分野】
【０００１】
本発明は、決済システム、サーバ装置、決済方法、決済処理方法、及び決済処理プログラムに関し、例えば、電子マネーにより決済を行うものに関する。
【背景技術】
【０００２】
近年、宅配サービスの普及により、商品が顧客の元に直接届けられる機会が増えてきた。このような商品の代金支払い方法として、商品に添付された支払伝票を用いるものがある。
顧客は、商品を受け取ると、支払伝票を銀行などの金融機関や、支払代行を行うコンビニエンスストアなどに持参し、商品の支払を行う。
また、代金前払いの場合は、支払伝票を用いて支払を行った後、商品が顧客に届けられる。
このような支払伝票に関する技術として、次の「配達伝票」がある。
【特許文献１】特開２００１−２５３１８５公報
【０００３】
この技術は、配達伝票に設けた袋部に支払伝票を格納することにより、配達伝票と共に支払伝票を、その内容が判読できない態様で物品の包装や梱包に添付するものである。
【発明の開示】
【発明が解決しようとする課題】
【０００４】
しかし、顧客は、支払伝票を金融機関などに持参して現金で支払を行う必要があり、大きな負担となっていた。
【０００５】
そこで、本発明の目的は、顧客が支払伝票に記載された支払を容易に行えるようにすることである。
【課題を解決するための手段】
【０００６】
本発明は、前記目的を達成するために、請求項１に記載の発明では、貨幣価値の金額を電子データとして記憶する記憶装置にアクセスし、金額変更情報を用いて当該貨幣価値の金額を変更させる携帯端末と、前記貨幣価値の金額を変更する金額変更情報を生成して出力するサーバ装置と、を用いて構成された決済システムであって、前記携帯端末は、決済を識別するための決済識別情報と、当該決済識別情報の送信先を示す接続情報と、が埋め込まれた画像情報を解析して決済識別情報と接続情報を認識し、当該認識した接続情報により示される送信先に、当該認識した決済識別情報を送信し、前記サーバ装置は、決済を識別するための決済識別情報に関連付けて当該決済における変更すべき金額を記憶する記憶手段から前記送信された決済識別情報に関連付けられた変更すべき金額を取得し、当該取得された変更すべき金額を用いて生成した金額変更情報を当該決済識別情報の送信元の携帯端末に送信し、前記携帯端末は、前記送信された金額変更情報を用いて前記貨幣価値の金額を変更させる、ことを特徴とする決済システムを提供する。
請求項２に記載の発明では、前記携帯端末は、前記決済識別情報により識別される決済における変更すべき金額がさらに埋め込まれている前記画像情報を解析して、変更すべき金額をさらに認識し、前記認識した接続情報により示される送信先に、当該認識した変更すべき金額をさらに送信し、前記サーバ装置は、前記送信された決済識別情報に関連付けられた変更すべき金額を前記記憶手段から取得し、当該取得された変更すべき金額と、前記携帯端末から送信された変更すべき金額とが一致する場合に限り、前記金額変更情報を生成して前記記憶装置に送信する、ことを特徴とする請求項１に記載の決済システムを提供する。
請求項３に記載の発明では、前記携帯端末は、前記決済識別情報により識別される決済に関連するデータ項目がさらに埋め込まれている前記画像情報を解析して、データ項目をさらに認識し、前記認識した接続情報により示される送信先に、当該認識したデータ項目をさらに送信し、前記サーバ装置は、決済を識別するための決済識別情報に関連付けて当該決済に関連するデータ項目をさらに記憶する前記記憶手段から前記送信された決済識別情報に関連付けられたデータ項目を取得し、当該取得されたデータ項目と、前記携帯端末から送信されたデータ項目とが一致する場合に限り、前記金額変更情報を生成して前記記憶装置に送信する、ことを特徴とする請求項１または請求項２に記載の決済システムを提供する。
請求項４に記載の発明では、前記サーバ装置は、前記金額変更情報を前記記憶装置に送信する前に、前記取得された変更すべき金額を含む確認データを前記決済識別情報の送信元の携帯端末に送信し、前記サーバ装置は、前記送信した確認データにより示される内容が確認されたことを示す情報を前記携帯端末から取得した場合に限り、前記金額変更情報を生成して前記決済識別情報の送信元の携帯端末に送信する、ことを特徴とする請求項１、請求項２、または請求項３に記載の決済システムを提供する。
請求項５に記載の発明では、貨幣価値の金額を電子データとして記憶する記憶装置にアクセスし、金額変更情報を用いて当該貨幣価値の金額を変更させる携帯端末に接続可能なサーバ装置であって、決済を識別するための決済識別情報と、当該決済識別情報の送信先を示す接続情報と、が埋め込まれた画像情報を解析して決済識別情報と接続情報を認識し、当該認識した接続情報により示される送信先に、当該認識した決済識別情報を送信する機能を有する携帯端末から、当該認識された決済識別情報を受信する受信手段と、決済を識別するための決済識別情報に関連付けて当該決済における変更すべき金額を記憶する記憶手段から、前記受信された決済識別情報に関連付けられた変更すべき金額を取得する取得手段と、前記取得された変更すべき金額を用いて生成した金額変更情報を、前記受信された決済識別情報の送信元の携帯端末に送信する送信手段と、を具備したことを特徴とするサーバ装置を提供する。
請求項６に記載の発明では、貨幣価値の金額を電子データとして記憶する記憶装置にアクセスし、金額変更情報を用いて当該貨幣価値の金額を変更させる携帯端末と、前記貨幣価値の金額を変更する金額変更情報を生成して出力するサーバ装置と、を用いて構成された決済システムにおける決済方法であって、前記携帯端末が、決済を識別するための決済識別情報と、当該決済識別情報の送信先を示す接続情報と、が埋め込まれた画像情報を解析して決済識別情報と接続情報を認識し、当該認識した接続情報により示される送信先に、当該認識した決済識別情報を送信し、前記サーバ装置が、決済を識別するための決済識別情報に関連付けて当該決済における変更すべき金額を記憶する記憶手段から前記送信された決済識別情報に関連付けられた変更すべき金額を取得し、当該取得された変更すべき金額を用いて生成した金額変更情報を当該決済識別情報の送信元の携帯端末に送信し、前記携帯端末が、前記送信された金額変更情報を用いて前記貨幣価値の金額を変更させる、ことを特徴とする決済方法を提供する。
請求項７に記載の発明では、貨幣価値の金額を電子データとして記憶する記憶装置にアクセスし、金額変更情報を用いて当該貨幣価値の金額を変更させる携帯端末に接続可能なコンピュータによる決済処理方法であって、決済を識別するための決済識別情報と、当該決済識別情報の送信先を示す接続情報と、が埋め込まれた画像情報を解析して決済識別情報と接続情報を認識し、当該認識した接続情報により示される送信先に、当該認識した決済識別情報を送信する機能を有する携帯端末から、当該認識された決済識別情報を受信する受信ステップと、決済を識別するための決済識別情報に関連付けて当該決済における変更すべき金額を記憶する記憶手段から、前記受信された決済識別情報に関連付けられた変更すべき金額を取得する取得ステップと、前記取得された変更すべき金額を用いて生成した金額変更情報を、前記受信された決済識別情報の送信元の携帯端末に送信する送信ステップと、を具備したことを特徴とする決済処理方法を提供する。
請求項８に記載の発明では、貨幣価値の金額を電子データとして記憶する記憶装置にアクセスし、金額変更情報を用いて当該貨幣価値の金額を変更させる携帯端末に接続可能なコンピュータに、決済を識別するための決済識別情報と、当該決済識別情報の送信先を示す接続情報と、が埋め込まれた画像情報を解析して決済識別情報と接続情報を認識し、当該認識した接続情報により示される送信先に、当該認識した決済識別情報を送信する機能を有する携帯端末から、当該認識された決済識別情報を受信する受信機能と、決済を識別するための決済識別情報に関連付けて当該決済における変更すべき金額を記憶する記憶手段から、前記受信された決済識別情報に関連付けられた変更すべき金額を取得する取得機能と、前記取得された変更すべき金額を用いて生成した金額変更情報を、前記受信された決済識別情報の送信元の携帯端末に送信する送信機能と、を実現させるための決済処理プログラムを提供する。
【発明の効果】
【０００７】
本発明によれば、決済端末に記憶された電子マネーで決済を行うことにより、顧客は支払伝票に記載された支払を容易に行うことができる。
【発明を実施するための最良の形態】
【０００８】
（１）実施の形態の概要
本実施の形態は、貨幣価値の金額をバリューと呼ばれる電子データによって記憶した携帯電話７において、商品代金分のバリューを減額することにより決済を行うものである。
まず、販売管理サーバ３は、ユーザ（顧客）から注文を受けると、注文情報を電子マネーサーバ２に送信する。電子マネーサーバ２は、販売店ＩＤ、商品ＩＤ、金額など、決済に必要な情報を特定する注文情報と、電子マネーサーバ２に接続するためのＵＲＬを埋め込んだ２次元コードを生成し、販売管理サーバ３に送信する。
販売管理サーバ３は、伝票４に電子マネーサーバ２から送られた２次元コード５（画像情報）を伝票４に印刷する。伝票４は、商品と共にユーザに配達される。
【０００９】
ユーザは、伝票４を受領すると、携帯電話７のデジタル式カメラ機能によって、２次元コード５を撮影する。
携帯電話７は、２次元コード５の画像データを取得すると、これを解析して注文情報とＵＲＬを認識する。そして、当該ＵＲＬを用いて電子マネーサーバ２に接続し、注文情報を送信する。
【００１０】
電子マネーサーバ２は、携帯電話７から注文情報を受信すると、これを販売管理サーバ３から受信した注文情報を用いて確認し、商品の金額分だけバリューを減額する金額変更情報を生成して携帯電話７に送信する。
携帯電話７は、電子マネーサーバ２から金額変更情報を受信し、これを用いて記憶しているバリューを商品の金額分だけ減額して決済を行う。
電子マネーサーバ２は、携帯電話７での決済が完了すると、完了通知を販売管理サーバ３に送信する。
【００１１】
電子マネーサーバ２の事業者は、携帯電話７にバリューを記憶させる際に、バリューに相当する現金をユーザから受け取っており、これによってバリューと現金との対応がとられている。そのため、ユーザは、予め電子マネーサーバ２の事業者にバリューと引き替えに預けておいた現金によって決済を行ったことになる。
このように、本実施の形態によると、ユーザは、伝票４の２次元コード５を携帯電話７で撮影することにより、その場で伝票４の決済を行うことができる。
【００１２】
（２）実施の形態の詳細
図１は、本実施の形態に係る決済システムの構成を示した図である。
決済システム１は、携帯電話７、電子マネーサーバ２、販売管理サーバ３、伝票４に印刷された２次元コード５などから構成されている。
携帯電話７は、通話機能のほか、ネットワーク接続機能、デジタル式カメラ機能、２次元コード解析機能、電子マネー機能などを備えた携帯端末である。
ネットワーク機能では、ＵＲＬ（Ｕｎｉｆｏｒｍ  Ｒｅｓｏｕｒｃｅ  Ｌｏｃａｔｏｒｓ）を用いてサーバにアクセスするほか、電子メールの送受信を行うことができる。
デジタル式カメラ機能では、光学系により被写体をＣＣＤ（Ｃｈａｒｇｅ−Ｃｏｕｐｌｅｄ  Ｄｅｖｉｃｅ）などで構成された受光面に結像し、当該結像された投影像を画像データに変換することができる。
【００１３】
２次元コード解析機能では、デジタル式カメラ機能で撮影された２次元コードの画像データを解析し、当該２次元コードに埋め込まれている情報を認識することができる。
電子マネー機能では、バリューと呼ばれる貨幣価値の金額を記憶装置に記憶し、外部から入力される金額変更情報によって、バリューの値を変更することができる。
金額変更情報には、加減の別と金額が含まれており、携帯電話７は、記憶しているバリューの金額を、金額変更情報で指定された金額だけバリューの値を加算、又は減算された値に更新する。
決済システム１において、バリューは現金の代用として用いられ、携帯電話７のユーザ（以下、単にユーザと記す）は、携帯電話７のバリューを減額することにより各種決済を行うことができる。
なお、バリューを加算する場合はチャージと呼ばれる。
【００１４】
電子マネーサーバ２（決済システム）は、電子マネー事業者が運営するサーバ装置であって、携帯電話７に対して金額変更情報を送信し、携帯電話７に記憶されたバリューの値を加減することができる。
販売管理サーバ３は、販売店が運営するサーバ装置であり、商品の販売を管理する。
伝票４は、販売店がユーザに商品の代金を請求する支払伝票であって、請求内容が印刷されているほか、携帯電話７のバリューで決済を行うための２次元コード５が印刷されている。
【００１５】
バリューと現金の対応付けは次のように行われる。
電子マネー事業者は、まず、ユーザから現金を受け取って、携帯電話７に同額のバリューをチャージする。ユーザは、バリューのチャージと引き替えに現金を電子マネー事業者に預けた形となる。
そして、ユーザがバリューで決済を行う場合、電子マネー事業者は、携帯電話７のバリューを決済金額分だけ減額し、ユーザから預かっている現金のうち、決済金額分を決済先の販売店に送金する。
このように、電子マネー事業者は、現金と引き替えにバリューを発行することにより、バリューに貨幣価値を付与し、これを現金の代用として流通させることができる。
【００１６】
次に、図中の括弧で示した番号を参照しながら決済システム１で行われる決済手順について説明する。
まず、ユーザは、販売店に商品を注文する。その際、ユーザは、購入する商品と個数を指定すると共に、氏名、住所、電話番号などの個人情報や、伝票４や商品の送付先を販売店に提供する。販売店はこれらの情報を入手するとこれに注文を特定するＩＤ情報である注文ＩＤを付与し、販売データベースに記憶して注文を販売管理サーバ３に登録する。
この登録は、携帯電話７から販売管理サーバ３の販売サイトにアクセスしてオンラインで行ってもよいし、あるいは、郵便や電話などで行って、販売店の担当者が手動で販売管理サーバ３に入力してもよい。
【００１７】
（１）販売管理サーバ３は、ユーザから注文を登録すると、注文情報を電子マネーサーバ２に送信する。
注文情報に含まれる情報は、決済に要する商取引内容を特定できるものであればよく、例えば、販売店を特定するＩＤ情報である販売店ＩＤや、販売店が注文に付与した注文ＩＤ、商品を特定する情報である商品ＩＤ、個数、決済する金額などから成る。
電子マネーサーバ２は、販売管理サーバ３から注文情報を受信すると、これを後述の決済代行データベースに登録する。
【００１８】
（２）電子マネーサーバ２は、注文情報と、電子マネーサーバ２の確認サイト（ユーザに注文を確認するウェブサイト）にアクセスするためのＵＲＬ（Ｕｎｉｆｏｒｍ  Ｒｅｓｏｕｒｃｅ  Ｌｏｃａｔｏｒｓ）が埋め込まれた２次元コードを生成し、販売管理サーバ３に送信する。
（３）販売管理サーバ３は、電子マネーサーバ２から２次元コードを受信し、これを請求内容と共に伝票用紙に印刷して伝票４を作成する。そして、販売店は、伝票４を商品と共にユーザに送付する。
（４）ユーザは商品と伝票４を受け取ると、２次元コード５を携帯電話７で撮影する。そして、携帯電話７は、２次元コード５を撮影した画像データを解析し、ＵＲＬや注文情報を認識する。
（５）携帯電話７は、認識したＵＲＬを用いて電子マネーサーバ２の確認サイトにアクセスする。電子マネーサーバ２は、携帯電話７からアクセスを受けると、支払内容を確認するための確認画面データを携帯電話７に送信する。ＵＲＬには、例えば、注文ＩＤと対応したパラメータが付随しており、これによって電子マネーサーバ２は、注文を識別することができる。
【００１９】
（６）携帯電話７は、電子マネーサーバ２から確認画面データを受信してこれを用いて確認画面をディスプレイに表示する。
確認画面は、メール送信ボタンを有しており、ユーザが確認画面で注文内容を確認した後、このボタンを選択すると、携帯電話７は、２次元コード５から認識した注文情報を注文情報メールにて電子マネーサーバ２に送信する。
（７）電子マネーサーバ２は、携帯電話７から注文情報メールを受信する。この際に、電子マネーサーバ２は、携帯電話７の電子メールアドレスを取得する。
そして、電子マネーサーバ２は、この電子メールアドレスを用いて、決済開始をユーザに行わせるための決済開始メールを携帯電話７に送信する。
【００２０】
（８）ユーザが携帯電話７で決済開始メールを閲覧する。決済開始メールは、決済開始ボタンを有しており、ユーザが決済開始ボタンを押下すると、バリューで決済を行うためのアプリケーションが起動する。
そして、このアプリケーションを用いて携帯電話７と電子マネーサーバ２の間で通信が行われ、電子マネーサーバ２は携帯電話７に決済金額分のバリューを減額する金額変更情報を送信し、一方、携帯電話７は、この金額変更情報を用いて自己が記憶しているバリューの金額を決済金額分だけ減額する。このようにして携帯電話７にて決済が行われる。
（９）電子マネーサーバ２は、携帯電話７で決済が実行されると、決済が完了した旨の完了通知を販売管理サーバ３に送信する。
販売管理サーバ３は、電子マネーサーバ２から完了通知を受信し、ユーザに対する決済処理が完了したことを認識する。
【００２１】
以上のように、決済システム１では、携帯電話７が２次元コード５の認識と決済を行うことができる。これによって、ユーザは、伝票４を金融機関などに持参して代金を払い込む必要が無くなり、ユーザの利便性が向上する。
なお、図１では、販売管理サーバ３と携帯電話７が１台ずつ示されているが、これらは複数存在することができる。そして、電子マネーサーバ２は、販売管理サーバ３を販売店ＩＤにより識別し、携帯電話７を後述の電子マネー機能部ＩＤにより識別している。
【００２２】
図２は、携帯電話７の機能的な構成を示した図である。
電話機能部１０と電子マネー機能部１２は、それぞれＣＰＵ（Ｃｅｎｔｒａｌ  Ｐｒｏｃｅｓｓｉｎｇ  Ｕｎｉｔ）を備えており、これらのＣＰＵで所定のプログラムを実行することにより、電話機能部１０ではアプリケーション部２６、電子マネー機能部１２では、バリュー処理部２８が構成される。
なお、図示しないが、携帯電話７は、光学系を駆動する機構を有するデジタル式カメラ機能部も備えており、被写体の画像データを取得することができる（画像取得手段）。
【００２３】
アプリケーション部２６は、携帯電話７で各種のアプリケーションを提供する機能部である。アプリケーション部２６が提供する機能としては、２次元コードを解析して２次元コードに埋め込まれている情報を認識する機能（認識手段）、ＵＲＬを用いてサーバに接続する機能（サーバ接続手段）、電子メールの送受信機能、インターフェース部１１を介して電子マネー機能部１２にアクセスする機能などを有している。
【００２４】
一方、電子マネー機能部１２の記憶部２９（金額記憶手段）は、バリューの金額やログデータなどを記憶する記憶装置である。
バリュー処理部２８は、金額変更情報を用いて記憶部２９に記憶されているバリューの金額を加減する機能部である（決済手段）。
バリュー処理部２８は、アプリケーション部２６を介して電子マネーサーバ２から送信されてくる金額変更情報を用いて記憶部２９のバリューを加減するほか、店舗などに備えられた電子マネー端末８のリーダライタ部から近距離無線によって送信されてくる金額変更情報によって記憶部２９のバリューを加減することも可能である。
【００２５】
図３は、電子マネーサーバ２のハードウェア的な構成の一例を示した図である。
電子マネーサーバ２は、ＣＰＵ３１、ＲＯＭ３２、ＲＡＭ３３、通信制御部３４、記憶部３５、プログラム格納部３７、データ格納部３８などがバスライン３６で接続されている。
【００２６】
ＣＰＵ３１は、ＲＯＭ３２や記憶部３５に記憶されたプログラムに従って各種の情報処理を行い、販売管理サーバ３と通信して注文情報を受け付けて決済を代行する機能、携帯電話７と通信して携帯電話７のバリューを減額する機能などを実現する。
ＲＯＭ３２は、プログラムやデータなどを記憶した読み取り専用の記憶装置である。
ＲＡＭ３３は、ＣＰＵ３１が各種の情報処理や制御を行う際のワーキングエリアを提供する。
通信制御部３４は、販売管理サーバ３や携帯電話７と通信を行う際のインターフェースとして機能する。
【００２７】
記憶部３５は、例えば、半導体記憶装置やハードディスク装置などの記憶装置や、これらの組み合わせによって構成されている。
記憶部３５には、プログラムを記憶するプログラム格納部３７とデータを格納するデータ格納部３８が形成されている。
【００２８】
プログラム格納部３７には、ＣＰＵ３１が先に説明した各機能を発揮するためのプログラムや、ＣＰＵ３１を動作させるための基本的なプログラムであるＯＳ（Ｏｐｅｒａｔｉｎｇ  Ｓｙｓｔｅｍ）などが記憶されている。
データ格納部３８には、後述のユーザデータベース、取引情報データベース、販売店情報データベース、決済代行データベースなどの各種のデータベースが格納されている。
【００２９】
図４（ａ）は、ユーザデータベースの論理的な構成を示した図である。
ユーザデータベースは、「電子マネー機能部ＩＤ」、「ユーザ名」、「パスワード」、その他の項目から構成されている。
「電子マネー機能部ＩＤ」は、携帯電話７の電子マネー機能部１２に固有なＩＤ情報であり、電子マネーサーバ２は、電子マネー機能部１２から読み取った電子マネー機能部ＩＤとユーザデータベースに記憶されている電子マネー機能部ＩＤを照合することにより携帯電話７を特定することができる。
「ユーザ名」は、ユーザの氏名である。
「パスワード」は、ユーザ認証を行うためのパスワードである。パスワード確認により、電子マネーサーバ２は、ユーザ以外の者が携帯電話７を操作して決済することを防ぐことができる。
【００３０】
図４（ｂ）は、取引情報データベースの論理的な構成を示した図である。
取引情報データベースは、携帯電話７でのバリューのチャージと決済の履歴を記録するもである。取引情報データベースには、電子マネーサーバ２との通信で行ったバリューのチャージと決済のほか、電子マネー端末８で行ったバリューのチャージと決済も記録される。
【００３１】
取引情報データベースは、「電子マネー機能部ＩＤ」、「チャージ」、「決済」などの項目から構成されている。
「電子マネー機能部ＩＤ」は、電子マネー機能部１２のＩＤ情報である。
「チャージ」は、電子マネー機能部１２でチャージを行った際の記録である。「チャージ」は、「端末ＩＤ」、「日時」、「バリュー」などの項目を有している。
「端末ＩＤ」は、チャージを行った電子マネー端末８のＩＤである。電子マネーサーバ２からチャージを行った場合は、端末ＩＤとして電子マネーサーバ２のＩＤが記録される。
「日時」、「バリュー」は、それぞれチャージを行った日時とチャージした金額である。
「決済」も同様な項目を有しており、決済を行った端末ＩＤ、日時、金額が記録される。
【００３２】
図５（ａ）は、販売店情報データベースの論理的な構成の一例を示した図である。
電子マネーサーバ２は、決済代行を請け負う販売店を予め販売店情報データベースに登録している。
販売店情報データベースは、「販売店ＩＤ」、「名称」、「接続情報」などの項目から構成されている。
「販売店ＩＤ」は、決済代行を請け負った販売店のＩＤ情報である。「名称」、「接続情報」は、それぞれ販売店の名称と、当該販売店の販売管理サーバ３にアクセスするための接続情報である。
電子マネーサーバ２は、販売店ＩＤを販売店情報データベースで照合することにより販売店を特定することができ、その接続情報を用いて当該販売店の販売管理サーバ３にアクセスすることができる。
【００３３】
図５（ｂ）は、決済代行データベースの論理的な構成の一例を示した図である。
電子マネーサーバ２は、決済代行データベースに注文情報を登録し、個々の注文の決済を管理する。
決済代行データベースは、「販売店ＩＤ」、「注文ＩＤ」、「金額」、「決済情報」その他の項目から構成されている。
電子マネーサーバ２は、販売管理サーバ３から送信されてきた注文情報を決済代行データベースに登録する。
「販売店ＩＤ」は、注文情報を送信してきた販売管理サーバ３の販売店の販売店ＩＤである。
【００３４】
「注文ＩＤ」は、販売店が注文に対して付与したＩＤ情報である。電子マネーサーバ２は、販売店ＩＤと注文ＩＤにより注文を特定することができ、販売店は、注文ＩＤにより注文を特定することができる。
「金額」は、決済金額である。
「決済状況」は、当該注文に対して携帯電話７での決済が完了したか否かを判別する判別情報である。電子マネーサーバ２は、注文情報の登録時は「決済状況」を「未」とし、決済が完了すると「済」とする。
このほか、決済情報データベースには、商品ＩＤや個数なども記録される。
【００３５】
図６（ａ）は、伝票４の外観を示した図である。
伝票４は、通常の支払伝票に新たに２次元コード印刷部４１を設けたものである。２次元コード印刷部４１には、電子マネー支払いに関する説明と、電子マネーサーバ２が生成した２次元コード５が印刷されている。
ユーザは、伝票４を金融機関やコンビニエンスストアなどの決済代行業者などに持参し、従来と同様にして決済を行うこともできるし、２次元コード５を携帯電話７で撮影してバリューによって決済を行うこともできる。
図６（ｂ）に示したように、２次元コード５には、ＵＲＬ、販売店ＩＤ、注文ＩＤ、金額、その他の情報が埋め込まれており、携帯電話７は、これを撮影した画像データからこれらの情報を認識することができる。
【００３６】
なお、本実施の形態では、２次元コード５は、伝票４の一部として形成されているが、別紙として従来の支払伝票に添付してもよい。
また、販売管理サーバ３がユーザのパーソナルコンピュータなどに２次元コード５の画像を送信し、ユーザがディスプレイ上に表示された２次元コード５を携帯電話７で撮影するように構成することもできる。
更に、本実施の形態では、注文情報やＵＲＬを埋め込む対象として２次元コードを用いたが、これに限定するものではなく、例えばバーコードなど、携帯電話７が埋め込まれた内容を認識できる画像情報であればよい。
【００３７】
図７は、携帯電話７が確認画面データを用いて表示した確認画面を示した図である。
確認画面では、支払先、支払金額、不明な点があった場合の問い合わせ先である連絡先電話番号、決済方式などが表示されると共に、メール送信ボタンも表示される。
ユーザが携帯電話７を操作してメール送信ボタンを押下すると、携帯電話７は電子マネーサーバ２に注文情報メールを送信する。
【００３８】
図８（ａ）は、携帯電話７のディスプレイに表示された決済開始メールを示した図である。
決済開始メールには、決済開始メールの送信日時、販売店、決済金額、注文ＩＤ、商品名、及び決済期限などが表示される。
決済開始メールをスクロールすると、図８（ｂ）に示したように、決済開始ボタン、決済中止ボタンが表示される。
ユーザが携帯電話７を操作して決済開始ボタンを押下すると、携帯電話７は、電子マネーサーバ２に決済開始要求を送信し、携帯電話７が電子マネーサーバ２の決済サイトに接続される。
一方、決済中止ボタンを押下すると、携帯電話７は、電子マネーサーバ２に決済中止要求を送信し、決済が中止される。
【００３９】
図９（ａ）は、携帯電話７が電子マネーサーバ２の決済サイトに接続した場合に携帯電話７のディスプレイに表示される決済画面を示した図である。
決済画面には、支払金額、支払前に携帯電話７が記憶しているバリュー残高、及び支払後に携帯電話７が記憶するバリュー残高が表示される。
更に、決済画面には、実行ボタンと中止ボタンが表示されている。ユーザが携帯電話７を操作して実行ボタンを押下すると、携帯電話７は決済実行要求を電子マネーサーバ２に送信し、決済が実行される。
中止ボタンを押下すると、携帯電話７は決済中止要求を電子マネーサーバ２に送信し、決済が中止される。
【００４０】
図９（ｂ）は、決済が完了した場合に、携帯電話７のディスプレイに表示される決済完了画面を示した図である。
決済完了画面には、決済が完了した旨のメッセージと、決済日時、販売店、決済金額、注文ＩＤなどが表示される。
ユーザは、これらの表示内容により、決済が完了したことを認識することができる。
【００４１】
図１０は、販売店が、ユーザから注文を受け付けて、伝票４を送付するまでの処理手順を説明するためのフローチャートである。
まず、販売管理サーバ３は、ユーザから商品の注文を受け、これを販売管理データベースに入力する。これは、ユーザの端末装置からオンラインにて販売管理サーバ３に直接入力してもよいし、あるいは、販売店の担当者がユーザから注文を受けて手動で行ってもよい。
【００４２】
販売管理サーバ３は、ユーザから注文を受け付けると、これに注文ＩＤを付与して販売管理データベースに格納し、更に、注文情報を電子マネーサーバ２に送信する（ステップ５）。
電子マネーサーバ２は、販売管理サーバ３から注文情報を受信すると、これを決済代行データベースに記憶して登録する。
そして、電子マネーサーバ２は、登録した注文情報を用いて２次元コード５を生成し、販売管理サーバ３に送信する（ステップ１５）。
【００４３】
販売管理サーバ３は、電子マネーサーバ２から２次元コード５を受信して、記憶装置に記憶する（ステップ２０）。
次に、販売管理サーバ３は、記憶した２次元コード５をプリンタなどの印刷装置を用いて伝票４に印刷し、出力する（ステップ２５）。
販売店の担当者は商品と共に印刷した伝票４をユーザに送付する。
【００４４】
図１１は、ユーザが伝票４を受領してから携帯電話７での決済を完了するまでの処理手順を説明するためのフローチャートである。
ユーザは、伝票４を受領すると、伝票４に印刷された２次元コード５を携帯電話７のデジタル式カメラ機能によって撮影する（ステップ３０）。
携帯電話７は、２次元コード５を撮影すると、２次元コード５を撮影した画像データを解析し、２次元コード５に埋め込まれている注文情報やＵＲＬを認識する（ステップ３５）。
【００４５】
次に、携帯電話７は、２次元コード５から認識したＵＲＬを用いて電子マネーサーバ２の確認サイトにアクセスする（ステップ４０）。この際に、携帯電話７は、認識した注文ＩＤ及び販売店ＩＤを電子マネーサーバ２に送信する（注文情報送信手段）。
電子マネーサーバ２は、携帯電話７からアクセスを受けると、注文ＩＤ及び販売店ＩＤによって決済代行データベースを検索し、当該注文に係る情報を取得する。そして、電子マネーサーバ２は、これを用いて確認画面データを生成し、携帯電話７に送信する（ステップ４５）。
【００４６】
携帯電話７は、電子マネーサーバ２から確認画面データを受信し、これを用いてディスプレイに確認画面を表示する。
ユーザが携帯電話７を操作して確認画面上のメール送信ボタンを押下すると、携帯電話７は、電子マネーサーバ２に注文情報メールを送信する（ステップ５０）。注文情報メールには、携帯電話７が２次元コード５から認識した注文情報が含まれている。
【００４７】
電子マネーサーバ２は、携帯電話７から注文情報メールを受信し、注文情報と携帯電話７の電子メールアドレスを取得する。
電子マネーサーバ２は、携帯電話７から受信した注文情報と、決済代行データベースに登録してある注文情報を照合し、携帯電話７が認識した注文情報が間違いないか確認する。
確認を終えると、電子マネーサーバ２は、決済開始メールを生成し、携帯電話７の電子メールアドレスに宛てて送信する（ステップ５５）。
【００４８】
携帯電話７は、電子マネーサーバ２から決済開始メールを受信し、これをディスプレイに表示する。
ユーザが決済開始メールにおいて決済実行ボタンを押下すると、携帯電話７は、電子マネーサーバ２に対して決済要求を送信する。
電子マネーサーバ２は、携帯電話７から決済要求を受信すると、決済金額分だけバリューを減額する金額変更情報を生成し、携帯電話７に送信する。
携帯電話７は、電子マネーサーバ２から金額変更情報を受信すると（金額変更情報受信手段）、これを用いて記憶しているバリューの金額を減額し、減額が完了した旨の通知を電子マネーサーバ２に送信する。
電子マネーサーバ２は、携帯電話７から減額が完了した旨の通知を受けると、決済代行データベースの「決済状況」を「済」に設定し、決済処理を完了する。
更に、電子マネーサーバ２は、取引情報データベースに当該決済を記録する。
以上の手順により、携帯電話７と電子マネーサーバ２の間で決済処理が行われる（ステップ６０）。
【００４９】
電子マネーサーバ２は、決済処理を完了すると決済代行データベースに登録されている販売店ＩＤによって販売店を特定する。
そして電子マネーサーバ２は、当該販売店の販売管理サーバ３に対して、注文ＩＤと、当該注文ＩＤに係る決済が完了した旨を通知する完了通知を送信する（ステップ６５）。
販売管理サーバ３は、電子マネーサーバ２から完了通知を受信し（ステップ７０）、完了通知に含まれる注文ＩＤで特定される注文の決済が完了したことを認識する。
【００５０】
以上に本実施の形態について説明したが、これについて次のような構成を追加することも可能である。
携帯電話７の電子マネー機能部１２と同等の機能を有するＩＣチップをプラスチックカードに搭載した電子マネーカードが実用化されている。
電子マネーカードは、バリューの金額を記憶し、金額変更情報を用いて当該記憶したバリューの金額を加減する第２の決済端末として機能する。
そして、ネットワークと接続したパーソナルコンピュータなどのユーザ端末に、電子マネーカードと通信を行うリーダライタを接続すると、リーダライタを介して電子マネーサーバ２と電子マネーカードが通信可能となる。
そのため、金額変更情報を電子マネーサーバ２から電子マネーカードに送信し、電子マネーカードに記憶したバリューにより決済を行うことも可能となる。
【００５１】
そこで、携帯電話７で決済する決済手段に加え、電子マネーカードで決済する選択肢をユーザに与えると、ユーザの利便性を高めることができる。
この場合、例えば、確認サイトで、携帯電話７で決済するか、電子マネーカードで決済するかの選択をユーザに行ってもらう。
ユーザが携帯電話７での決済を選択した場合、先に説明した実施の形態と同様にして決済を行う。
この場合、電子マネーサーバ２は、携帯電話７（決済端末）と電子マネーカード（第２の決済端末）の何れか一方の選択を受け付ける選択受付手段を備え、選択された決済端末に金額変更情報を送信する。
【００５２】
一方、ユーザが電子マネーカードでの決済を選択した場合、決済実行メールをユーザ端末に送信する。なお、電子メールアドレスは、ユーザに入力してもらうなどする。
そして、ユーザはリーダライタに電子マネーカードを設置してから、ユーザ端末のディスプレイに表示された決済実行ボタンを押下する。
すると、ユーザ端末から電子マネーサーバ２に決済要求が送信され、電子マネーサーバ２はこれに対して金額変更情報を生成してユーザ端末に送信する。
ユーザ端末に送信された金額変更情報は、リーダライタを介して電子マネーカードに入力され、電子マネーカードは、これを用いてバリューの金額を決済金額分だけ減額する。
【００５３】
以上、本実施の形態について説明したが、これによって次のような効果を得ることができる。
（１）伝票４に印刷された２次元コード５を携帯電話７で撮影することにより、携帯電話７において即座に決済を行うことができる。そのため、ユーザは、伝票４を金融機関などに持参して決済金額を振り込むなどの手間が省ける。
（２）２次元コード５に、ＵＲＬのほか、取引情報を埋め込むことができる。
（３）販売店は、電子マネーサーバ２に注文情報を登録し、これによって発行された２次元コード５を伝票４に印刷するだけで、決済の代行を電子マネーサーバ２に依頼することができる。
（４）バリューによる決済代行は、ネットワーク上で行われるため、決済代行を担当する担当者を配置する必要が無く、人件費を節約することができる。
【００５４】
（変形例１）
図１２は、本実施の形態の変形例を説明するための図である。
本変形例は、電子マネーサーバ２を、確認サーバ１０１と決済実行サーバ１０２に分割したものである。
確認サーバ１０１は決済代行事業者が運用し、決済実行サーバ１０２は電子マネー事業者が運用するといったように、業務の分担を行うことができる。
【００５５】
確認サーバ１０１は、販売管理サーバ３は、販売店データベースと決済代行データベースを備え、決済実行サーバ１０２は、ユーザ情報データベースと取引情報データベースを備える。
図１の、（１）注文情報登録、（２）２次元コードの生成、（９）完了通知の送信、（５）確認サイト提供、及び（６）注文情報メールの受信は、確認サーバ１０１が行い、（７）決済実行メールの送信、及び（８）決済の実行は、決済実行サーバ１０２が行う。
【００５６】
より詳細な動作は次のようになる。
確認サーバ１０１は、図中の（ａ）に示したように、注文情報メールにより、注文情報と携帯電話７の電子メールアドレスを取得するとこれを決済実行サーバ１０２に送信する。
電子マネーサーバ２は、確認サーバ１０１から受信した電子メールアドレスに宛てて決済開始メールを送信し（図中（７））、確認サーバ１０１から受信した注文情報に基づいて決済を行う（図中（８））。
決済実行サーバ１０２は、決済処理が完了すると、図中の（ｂ）に示したように完了通知を確認サーバ１０１に送信する。確認サーバ１０１は、電子マネーサーバ２から完了通知を受信すると、販売管理サーバ３に完了通知を送信する。
【００５７】
（変形例２）
図１３は、変形例２を説明するための図である。
電子マネーサーバ２は、ユーザ情報データベース、取引情報データベース、及び販売店データベースなどを有している。以下、図中の括弧で示した番号に従って説明する。
（１）まず、販売店は、ユーザから注文を受け、注文情報を販売管理サーバ３に登録する。
（２）販売管理サーバ３は、２次元コード５を生成する機能を有しており、販売店は、販売管理サーバ３が生成した２次元コード５を伝票４に印刷してユーザに送付する。
２次元コード５には、注文情報と電子マネーサーバ２の決済サイトへのＵＲＬが埋め込まれている。
【００５８】
（３）ユーザは、伝票４を受領すると、２次元コード５を携帯電話７で撮影する。携帯電話７は、２次元コード５の画像データから注文情報（販売店ＩＤ、注文ＩＤ、商品名、決済金額などを含む）と、ＵＲＬを認識する。
（４）携帯電話７は、注文情報とＵＲＬを認識すると、当該ＵＲＬを用いて電子マネーサーバ２の決済サイトに接続し、注文情報を送信する。
電子マネーサーバ２は、注文情報から、販売店ＩＤ、注文ＩＤ、商品名、決済金額などを認識し、当該決済金額を用いて携帯電話７のバリューを減額することにより決済処理を行う。２次元コード５に金額変更情報を埋め込んでおき、これによってバリューを減額することも可能である。
（５）電子マネーサーバ２は、決済が完了すると、販売店ＩＤで特定される販売管理サー
バ３に完了通知を送信し、注文ＩＤ、決済金額などを通知する。
【図面の簡単な説明】
【００５９】
【図１】本実施の形態に係る決済システムの構成を示した図である。
【図２】携帯電話の機能的な構成を示した図である。
【図３】電子マネーサーバのハードウェア的な構成の一例を示した図である。
【図４】データベースを説明するための図である。
【図５】データベースを説明するための図である。
【図６】伝票の外観を説明するための図である。
【図７】確認画面を示した図である。
【図８】決済メールを表示したところを示した図である。
【図９】決済画面を示した図である。
【図１０】伝票を発行するまでの手順を説明するためのフローチャートである。
【図１１】決済を行うまでの手順を説明するためのフローチャートである。
【図１２】変形例１を説明するための図である。
【図１３】変形例２を説明するための図である。
【符号の説明】
【００６０】
１  決済システム
２  電子マネーサーバ
３  販売管理サーバ
４  伝票
５  ２次元コード
６  携帯電話
【図１】
0005164238.tif 000002
【図２】
0005164238.tif 000003
【図３】
0005164238.tif 000004
【図４】
0005164238.tif 000005
【図５】
0005164238.tif 000006
【図６】
0005164238.tif 000007
【図７】
0005164238.tif 000008
【図８】
0005164238.tif 000009
【図９】
0005164238.tif 000010
【図１０】
0005164238.tif 000011
【図１１】
0005164238.tif 000012
【図１２】
0005164238.tif 000013
【図１３】
0005164238.tif 000014